(57)【要約】【課題】  複数枚の表示用パネル同士を一体的に貼り合わせるにあたって、その貼り合わせ作業を簡易な治具を用いて正確かつ容易に行えるようにするとともに、複数セット分の表示用パネル同士を一括して貼り合わせできるようにする。【解決手段】  複数枚の表示用パネルＰ同士をその対向面に設けられている接着材を介して一体的に貼り合わせるにあたって、表示用パネルＰの隣接する２辺を支持する一対の傾斜面１１ａ，１１ａを含んでほぼ水平方向に延びるパネル整列溝１１を有するパネル支持台１０を用い、各表示用パネルＰを所定の間隔をもってパネル整列溝１１内にほぼ垂直に立てて並べたのち、押圧ヘッド２０ａ，２０ｂにて積層方向に押圧して一体的に貼り合わせる。【選択図】  図１
2006039489.tif 000002
【特許請求の範囲】
【請求項１】
複数枚の同形・同大である四角形状の表示用パネル同士を、その対向面に設けられている接着材を介して一体的に貼り合わせる表示用パネルの貼り合わせ方法において、
上記表示用パネルの隣接する２辺を支持する一対の傾斜面を含んでほぼ水平方向に延びるパネル整列溝を有するパネル支持台を用い、上記複数枚の表示用パネルを所定の間隔をもって上記パネル整列溝内にほぼ垂直に立てて並べたのち、積層方向に押圧して上記接着材を介して一体的に貼り合わせることを特徴とする表示用パネルの貼り合わせ方法。
【請求項２】
上記複数枚の表示用パネルの積層体を１セットとして、上記パネル整列溝は、その複数セットを支持し得る長さを有し、同時に各セットに含まれている上記表示用パネル同士を貼り合わせることを特徴とする請求項１に記載の表示用パネルの貼り合わせ方法。
【請求項３】
複数枚の同形・同大である四角形状の表示用パネル同士を、その対向面に設けられている接着材を介して一体的に貼り合わせる表示用パネルの貼り合わせ装置において、
上記表示用パネルの隣接する２辺を支持する一対の傾斜面を含んでほぼ水平方向に延びるパネル整列溝を有するパネル支持台と、上記パネル整列溝内に所定の間隔をもってほぼ垂直に立てて並べられた上記複数枚の表示用パネルを積層方向に押圧するパネル押圧手段とを備えていることを特徴とする表示用パネルの貼り合わせ装置。
【請求項４】
上記複数枚の表示用パネルの積層体を１セットとして、上記パネル整列溝は、その複数セットを支持し得る長さを有していることを特徴とする請求項３に記載の表示用パネルの貼り合わせ装置。
【請求項５】
上記各傾斜面には、低摩擦処理が施されていることを特徴とする請求項３または４に記載の表示用パネルの貼り合わせ装置。
【請求項６】
上記各傾斜面の交点部分には、上記表示用パネルの角部に対して非接触の逃し溝が形成されていることを特徴とする請求項３ないし５のいずれか１項に記載の表示用パネルの貼り合わせ装置。
【発明の詳細な説明】
【技術分野】
【０００１】
本発明は表示用パネルの貼り合わせ方法およびその装置に関し、さらに詳しく言えば、複数枚の表示用パネルの積層体を１セットとして、その複数セットをそれぞれ一括して同時に貼り合わせ処理する技術に関するものである。
【背景技術】
【０００２】
複数枚の表示用パネルを貼り合わせて作製される表示装置の一例として、２４０゜ねじれのＳＴＮ型液晶パネルからなる駆動用液晶表示パネルと、光学位相補償用の２４０゜逆ねじれのＳＴＮ型液晶パネルからなる干渉パネルとを接着材を介して積層する２層型ＳＴＮがある。
【０００３】
また別の例として、ネマティック液晶にカイラル材を添加してなるカイラルネマティック液晶を利用した液晶表示パネルにおいては、フルカラー表示を得るためにＲ，Ｇ，Ｂの各色の選択反射をもつ３枚の液晶表示パネルを積層することがある。
【０００４】
いずれの例においても、各表示用パネルを積層するにあたっては、その位置合わせに正確さが要求される。そのため種々のパネル位置合わせ手段が提案されているが、多くの場合、位置決めピン方式が採用されている。
【０００５】
位置決めピン方式には、ピンを移動させてパネルを適正な位置に案内するピン移動型と、固定されているピンにパネルを突き当てて位置決めするピン固定型とがあるが、ここではピン固定型の一例を図３に示し、上記２層型ＳＴＮのように２枚の表示用パネルＰ１，Ｐ２を接着材Ａを介して貼り合わせる場合の従来例を説明する。
【０００６】
ピン固定型の場合、平坦な基台２上に複数本の位置決めピン３を植設してなる治具１が用いられる。位置決めピン３は、表示用パネルＰ１，Ｐ２の一つの角部（直角）を挟む２辺に沿って配置され、この例では一方の辺側に１本の位置決めピン３ａが立てられ、他方の辺側に２本の位置決めピン３ｂ，３ｃが立てられている。
【０００７】
接着材Ａには、両面接着（粘着）テープもしくは液状接着材が用いられ、表示用パネルＰ１，Ｐ２の対向面のいずれか一方の全面（この例では、表示用パネルＰ１側）にあらかじめ設けられる。液状接着材の場合には、例えばスクリーン印刷によって塗布される。
【０００８】
表示用パネルＰ１，Ｐ２を貼り合わせるには、まず、一方の表示用パネルＰ１を基台２上に載置して、その角部を挟む２辺を３本の位置決めピン３ａ〜３ｃに同時に突き当てて位置決めする。
【０００９】
次に、他方の表示用パネルＰ２を同じくその角部を挟む２辺を３本の位置決めピン３ａ〜３ｃに同時に突き当てて位置決めしたのち、所定の圧力をもって表示用パネルＰ１上に押し付ける。表示用パネルＰ２を表示用パネルＰ１に押し付けるのは、それらの間から空気（気泡）を排除するためである。
【発明の開示】
【発明が解決しようとする課題】
【００１０】
上記のピン固定型によるパネルの位置決め方式によれば、その治具１の構造が簡単であって導入コストを安価に済ませられるが、まず、表示用パネルＰ１，Ｐ２と位置決めピン３との接触が点接触であるため、突き当て時の力加減によっては表示用パネルＰ１，Ｐ２の辺に欠けが生ずることがあるばかりでなく位置決め精度にもばらつきが出る、という問題がある。
【００１１】
また、上側の表示用パネルＰ２については、位置決めピン３に突き当てて位置合わせし、その状態を保ってパネルを下降させて下側の表示用パネルＰ１に貼り合わせることになるが、上側の表示用パネルＰ２を下側の表示用パネルＰ１に対して斜めにした状態で貼り合わせると位置ずれを生ずることがある。
【００１２】
貼り合わせは全面接着であるため、貼り合わせ後において位置ずれを修正することはできない。そのため、位置合わせしてから貼り合わせるまでの間、表示用パネルＰ２を下側の表示用パネルＰ１と平行を保つ必要があり、これが作業性をより困難なものとしている。
【００１３】
さらには、表示用パネルＰ１，Ｐ２を貼り合わせたのち、加圧してその貼り合わせ面に存在する空気を排除する必要があるため、従来の治具１上では１セット（１積層体）ずつしか処理できない、という問題もある。
【００１４】
したがって、本発明の課題は、複数枚の表示用パネル同士をその対向面に設けられている接着材を介して一体的に貼り合わせるにあたって、その貼り合わせ作業を簡易な治具を用いて正確かつ容易に行えるようにするとともに、複数セット分の表示用パネル同士を一括して貼り合わせできるようにすることにある。
【課題を解決するための手段】
【００１５】
上記課題を解決するため、請求項１に記載の発明は、複数枚の同形・同大である四角形状の表示用パネル同士を、その対向面に設けられている接着材を介して一体的に貼り合わせる表示用パネルの貼り合わせ方法において、上記表示用パネルの隣接する２辺を支持する一対の傾斜面を含んでほぼ水平方向に延びるパネル整列溝を有するパネル支持台を用い、上記複数枚の表示用パネルを所定の間隔をもって上記パネル整列溝内にほぼ垂直に立てて並べたのち、積層方向に押圧して上記接着材を介して一体的に貼り合わせることを特徴としている。
【００１６】
請求項２に記載の発明は、上記請求項１において、上記複数枚の表示用パネルの積層体を１セットとして、上記パネル整列溝は、その複数セットを支持し得る長さを有し、同時に各セットに含まれている上記表示用パネル同士を貼り合わせることを特徴としている。
【００１７】
請求項３に記載の発明は、複数枚の同形・同大である四角形状の表示用パネル同士を、その対向面に設けられている接着材を介して一体的に貼り合わせる表示用パネルの貼り合わせ装置において、上記表示用パネルの隣接する２辺を支持する一対の傾斜面を含んでほぼ水平方向に延びるパネル整列溝を有するパネル支持台と、上記パネル整列溝内に所定の間隔をもってほぼ垂直に立てて並べられた上記複数枚の表示用パネルを積層方向に押圧するパネル押圧手段とを備えていることを特徴としている。
【００１８】
請求項４に記載の発明は、上記請求項３において、上記複数枚の表示用パネルの積層体を１セットとして、上記パネル整列溝は、その複数セットを支持し得る長さを有していることを特徴としている。
【００１９】
請求項５に記載の発明は、上記請求項３または４において、上記各傾斜面には、低摩擦処理が施されていることを特徴としている。
【００２０】
請求項６に記載の発明は、上記請求項３ないし５のいずれか１項において、上記各傾斜面の交点部分には、上記表示用パネルの角部に対して非接触の逃し溝が形成されていることを特徴としている。
【発明の効果】
【００２１】
上記請求項１に記載の発明によれば、各表示用パネルをパネル整列溝内にほぼ垂直に立てて並べるだけで位置合わせを行うことができる。また、各表示用パネルをパネル整列溝内で積層方向に押圧することにより貼り合わせが完了するため、これによっても作業性が大幅に改善される。さらに、パネル整列溝に対する表示用パネルの接触は辺での面接触であるため欠けが生ずることもない。上記請求項２に記載の発明によれば、複数セット分の表示用パネル同士を一括して貼り合わせすることができる。
【００２２】
上記請求項３に記載の発明によれば、複数枚の表示用パネルを作業性良く貼り合わせることができるとともに、パネルに欠けなどを発生させることのない簡易な治具が提供される。上記請求項４に記載の発明によれば、上記請求項３の効果に加えて複数セット分の表示用パネル同士を一括して貼り合わせできる簡易な治具が提供される。
【００２３】
上記請求項５に記載の発明によれば、パネル整列溝内で各表示用パネルをスムーズに移動させることができる。上記請求項６に記載の発明によれば、表示用パネルの角部の欠けを確実に防止することができる。
【発明を実施するための最良の形態】
【００２４】
次に、図１および図２により本発明の実施形態について説明するが、本発明はこれに限定されるものではない。図１は本発明による表示用パネルの貼り合わせ装置を示す模式的な斜視図で、図２はパネル支持台の変形例を示す要部斜視図である。
【００２５】
図１には、２枚の表示用パネルＰ１ａ，Ｐ２ａを含む第１パネルセット（パネル積層体）ＰＡと、同じく２枚の表示用パネルＰ１ｂ，Ｐ２ｂを含む第２パネルセットＰＢとをそれぞれセット単位で一括して貼り合わせる場合の例が示されている。
【００２６】
なお、表示用パネルＰ１ａ，Ｐ２ａおよび表示用パネルＰ１ｂ，Ｐ２ｂの各対向面のいずれか一方には接着材が設けられるが、図１において接着材は図示が省略されている。接着材には先に説明した従来例と同じく両面接着（粘着）テープもしくは液状接着材が用いられてよい。
【００２７】
パネルセットＰＡ，ＰＢが２層型ＳＴＮである場合、一方の表示用パネルＰ１ａ，Ｐ１ｂには駆動用液晶表示パネルが用いられ、他方の表示用パネルＰ２ａ，Ｐ２ｂには干渉パネルが用いられる。各表示用パネルは外観上、四角形状の同形・同大パネルであるため、個別的に説明する必要がない場合には単に表示用パネルＰという。
【００２８】
一般に、駆動用液晶表示パネルには、駆動用信号を外部より入力するため四角形状の一辺あるいは隣接する二辺に入力端子部が形成されている。干渉パネルと比較すると、入力端子部の分だけ駆動用液晶表示パネルが大きく形成されていることがあるが、本明細書においては、これも同形・同大のパネルと定義する。なお、後述する一対の傾斜面に接触する表示用パネルの辺は上記入力端子部が形成されていない辺である。
【００２９】
この貼り合わせ装置は、複数枚の表示用パネルＰが載置されるパネル支持台１０と、それら表示用パネルＰを例えば両側から挟むように押圧する一対の押圧ヘッド２０ａ，２０ｂとを備えている。押圧ヘッド２０ａ，２０ｂの駆動手段は図示が省略されているが、エアシリンダなどであってよい。
【００３０】
パネル支持台１０の上面には、表示用パネルＰの隣接する２辺を支持する一対の傾斜面１１ａ，１１ｂを含む断面Ｖ字状のパネル整列溝１１が設けられている。パネル整列溝１１はほぼ水平として直線的に形成されており、その両側に押圧ヘッド２０ａ，２０ｂが配置されている。パネル整列溝１１の長さは一度に貼り合わせ処理するパネルセット数に応じて適宜設計することができる。
【００３１】
傾斜面１１ａ，１１ｂは表示用パネルＰの位置出し基準面であり、貼り合わせ時に表示用パネルＰがスムーズに移動し得るようにするため、傾斜面１１ａ，１１ｂには低摩擦処理が施されていることが好ましい。
【００３２】
その一例として、傾斜面１１ａ，１１ｂ上にパーフルオロ重合体，クロロトリフルオロエチレン重合体などのフッ素系樹脂にて平滑層を形成することにより、傾斜面１１ａ，１１ｂを低摩擦することができる。また、パネル支持台１０を合成樹脂製とする場合には、その樹脂内にグラファイト，二硫化モリブデン，パーフルオロ重合体などの固形潤滑材を混入することにより、低摩擦の傾斜面１１ａ，１１ｂを得ることができる。
【００３３】
次に、本発明による貼り合わせ方法を図１の例により説明する。まず、第１パネルセットＰＡの表示用パネルＰ１ａ，Ｐ２ａと、第２パネルセットＰＢの表示用パネルＰ１ｂ，Ｐ２ｂとをパネル整列溝１１内にそれぞれ接着材面がくっつかないように所定の間隔をもってほぼ垂直に立てて並べる。
【００３４】
本発明によれば、このように表示用パネルＰをパネル整列溝１１内に並べるだけで、その傾斜面１１ａ，１１ａを位置出し基準面として、各表示用パネルＰの位置合わせが完了する。次に、押圧ヘッド２０ａ，２０ｂを互いに接近する方向（パネル積層方向）に駆動して各表示用パネルＰをその両側から押圧する。
【００３５】
これにより、各表示用パネルＰは傾斜面１１ａ，１１ａ上を滑って互いに密着し、それらの接着材面から空気を追い出した状態で貼り合わされる。このようにして、本発明によれば第１パネルセットＰＡと第２パネルセットＰＢとを一括して貼り合わせ処理することができる。この例では２セットを一括して貼り合わせ処理しているが、例えば１０セット分を一括して貼り合わせ処理することもできる。
【００３６】
なお、パネル表面の傷つき防止のため、パネルセットＰＡとパネルセットＰＢとの間などにスポンジシートなどのクッション材を介装することが好ましい。また、上記の例では２つの押圧ヘッド２０ａ，２０ｂを用いているが、パネル整列溝１１の片側を固定壁として、押圧ヘッドを一つとすることもできる。
【００３７】
変形例として、図２に示すように、傾斜面１１ａ，１１ａの交点部分（パネル整列溝１１の溝底）に表示用パネルＰの角部が落とし込まれる逃し溝１２を形成することにより、表示用パネルＰの角部の欠けを確実に防止することができる。また、表示用パネルＰの隣接する２辺を確実に傾斜面１１ａ，１１ａに当接させることができる。
【産業上の利用可能性】
【００３８】
本発明は、上記実施形態で説明した２層型ＳＴＮのほかに、例えばカイラルネマティック液晶を利用した液晶表示パネルを３枚積層してフルカラー表示を得る場合もしくは２枚を積層して多色表示を得るような場合にも利用できる。
【図面の簡単な説明】
【００３９】
【図１】本発明による表示用パネルの貼り合わせ装置を示す模式的な斜視図。
【図２】上記貼り合わせ装置に含まれるパネル支持台の変形例を示す要部斜視図。
【図３】位置決めピン方式の従来例を示す斜視図。
【符号の説明】
【００４０】
１０  パネル支持台
１１  パネル整列溝
１１ａ  傾斜面
１２  逃し溝
Ｐ，Ｐ１ａ，Ｐ２ｂ，Ｐ１ｂ，Ｐ２ｂ  表示用パネル
ＰＡ，ＰＢ  パネルセット
２０ａ，２０ｂ  押圧ヘッド
【図１】
2006039489.tif 000003
【図２】
2006039489.tif 000004
【図３】
2006039489.tif 000005